(57)【特許請求の範囲】
【請求項１】
時分割多重信号の所望プログラムを受信する受信開始時点よりも同期引込時間として見積もった時間だけ前に受信回路の動作開始時点を設定し、前記所望プログラムの受信を終えると後続の所望プログラムの受信まで前記受信回路の動作を停止する受信装置であって、
受信した信号の品質が良好か否かを評価する評価部と、
前記評価部により評価された前記品質が良好であるほど、前記後続の所望プログラム受信時の前記動作開始時点を、前記受信開始時点に接近する決定を行う決定部と、
前記決定された動作開始時点から前記受信回路を動作させる制御部とを備えることを特徴とする受信装置。
【請求項２】
前記評価部は、
前記受信装置が受信した信号の誤り率を測定する誤り率測定部を含み、
前記誤り率が小さいほど受信信号の品質が良好であるとして前記評価を行う
ことを特徴とする請求項１記載の受信装置。
【請求項３】
前記評価部は、
前記受信装置が受信した信号のうち、受信信号と雑音の比を測定するＣ／Ｎ測定部を含み、
前記Ｃ／Ｎ値が高いほど受信信号の品質が良好であるとして前記評価を行う
ことを特徴とする請求項１記載の受信装置。
【請求項４】
前記評価部は、
前記受信装置が受信した信号の受信入力レベルを推定する受信入力レベル推定部を含み、
前記受信入力レベルが適正範囲に含まれる場合に受信信号の品質が良好であるとして前記評価を行う
ことを特徴とする請求項１記載の受信装置。
【請求項５】
前記評価部は、
前記受信装置が受信した信号に含まれるパイロットキャリアを用いて信号の伝送路特性を推定する伝送路特性推定部を含み、
推定した前記伝送路特性からマルチパスが検出されない場合に受信信号の品質が良好であるとして前記評価を行う
ことを特徴とする請求項１記載の受信装置。
【請求項６】
前記受信装置は、さらに、
前記受信回路の動作開始時点から受信開始時点までに相当する同期引込時間を計測する引込時間計測部と、
過去１回以上の前記引込時間計測部による計測結果である引込時間を保持する保持部とを備え、
前記評価部は、
保持部に保持されている過去１回以上の前記計測結果に基づいて、前記引込時間が短いほど受信信号の品質が良好であるとして前記評価を行う
ことを特徴とする請求項１記載の受信装置。
【請求項７】
時分割多重信号の所望プログラムを受信する受信開始時点よりも同期引込時間として見積もった時間だけ前に受信回路の動作開始時点を設定し、前記所望プログラムの受信を終えると後続の所望プログラムの受信まで前記受信回路の動作を停止する受信装置の信号受信方法であって、
受信した信号の品質が良好か否かを評価する評価ステップと、
前記評価部により評価された前記品質が良好であるほど、前記後続の所望プログラム受信時の前記動作開始時点を、前記受信開始時点に接近する決定を行う決定ステップと、
前記決定された動作開始時点から前記受信回路を動作させる制御ステップとを含む
ことを特徴とする信号受信方法。
【請求項８】
時分割多重信号の所望プログラムを受信する受信開始時点よりも同期引込時間として見積もった時間だけ前に受信回路の動作開始時点を設定し、前記所望プログラムの受信を終えると後続の所望プログラムの受信まで前記受信回路の動作を停止する受信装置の集積回路であって、
受信した信号の品質が良好か否かを評価する評価回路と、
前記評価部により評価された前記品質が良好であるほど、前記後続の所望プログラム受信時の前記動作開始時点を、前記受信開始時点に接近する決定を行う決定回路と、
前記決定された動作開始時点から前記受信回路を動作させる制御回路とを含む
ことを特徴とする集積回路。
【発明の詳細な説明】
【技術分野】
【０００１】
本発明は、時分割多重された信号を受信する受信装置に関し、特に、省電力化を実現する技術に関する。
【背景技術】
【０００２】
従来、特許文献１に示されるように、時分割多重された信号から所望の信号を受信するために、信号の受信タイミングに応じて受信回路へ供給する電源をオンオフする受信装置がある（特許文献１参照）。
特許文献１に示される受信装置は、電源のオンオフを繰り返すことに起因する悪影響を除去するために、信号の受信を開始するタイミングよりも所定時間前から受信回路へ電源を供給することとしている。ここでいう悪影響とは、例えば、電源のオンオフを繰り返すことによって電源電圧の変動が生じ、そのためＰＬＬ（PhaseLocked Loop）回路に影響を及ぼして周波数変動を引き起こし受信タイミングにおいて信号を安定して受信できないなどのように、信号の受信に及ぼす悪影響のことをいう。
【０００３】
上述の構成のように、信号の受信を開始するタイミングよりも所定時間前から受信回路へ電源を供給することで、信号の受信を開始するタイミングにおいては、受信回路の動作が安定しているようにし、これにより、受信装置は、時分割多重信号を安定して受信することができる。
【特許文献１】特開平７−２１２２６９号公報
【発明の開示】
【発明が解決しようとする課題】
【０００４】
ところで、受信回路の動作が安定するまでに要する時間は、受信する信号の品質に影響される。例えば、受信回路の周波数同期に要する時間は、雑音やマルチパスフェージングなどの影響が小さい信号ほど、すなわち受信する信号の品質が良いほど短くなる。
一方、上記の受信装置の構成では、時分割多重信号を安定して受信することを重視すると、信号の品質に応じて受信回路の動作が安定するまでの時間が決まってくるので、受信する信号の品質が劣悪であっても受信に支障をきたさないように、受信回路へ電源を供給するタイミングを早めに設定して受信回路への電源供給期間を信号の品質が良好な場合に比べて長くする必要がある。
【０００５】
しかし、このように信号を安定して受信することを重視すると、受信する信号の品質が良好であるときに、受信回路へ供給している電力の一部を無駄に消費することとなる。
そこで、本発明は、かかる問題に鑑みてなされたものであり、従来と比較してさらなる省電力化を可能にする受信装置を提供することを目的とする。
【課題を解決するための手段】
【０００６】
上記課題を解決するため、本発明の受信装置は、割り当てられた信号を受信する前に受信回路の動作を開始し、信号の受信を終えると次に割り当てられた信号の受信開始まで受信回路の動作を停止する受信装置であって、受信した信号の品質を評価する評価部と、前記評価部による評価結果に基づいて、後続する信号を受信する際における前記受信回路の動作開始時点を決定する決定部と、前記決定された動作開始時点から前記受信回路を動作させる制御部とを備える。
【発明の効果】
【０００７】
これにより、例えば受信した信号のＢＥＲ（Bit Error Rate）などを計測することで受信した信号の品質を評価し、これらに基づいて受信回路の動作開始時点を決定することができる。例えば、受信した信号の品質が劣悪な場合は動作開始時点を早く、また品質が良好な場合は動作開始時点を遅くするなどとすることで、受信装置は、受信する信号の品質に応じて効果的なタイミングで受信回路の動作を開始することができ、従来よりもさらなる省電力化を実現することができる。
【０００８】
また、前記評価部は、受信した信号の品質が良好か否かを評価し、前記決定部は、前記品質が良好であるほど、前記動作開始時点を、割り当てられた信号の受信開始時点に接近する決定を行うこととしてもよい。
これにより、受信した信号の品質に応じて信号の品質が良好であるほど動作開始時点を遅くすることができ、受信装置は、より効果的なタイミングで受信回路へ電源を供給することができる。
【０００９】
また、前記評価部は、受信した信号の品質に応じて評価値を定め、前記評価値と所定値とを比較して信号の品質が良好か否かを評価し、前記決定部は、予め複数の所定時点を動作開始時点として記憶しており、前記評価結果が良好である場合は、割り当てられた信号の受信開始時点に近い側の前記所定時点を前記動作開始時点と決定し、前記評価結果が良好でない場合は、割り当てられた信号の受信開始時点に遠い側の前記所定時点を前記動作開始時点と決定することとしてもよい。
【００１０】
これにより、受信した信号の品質に応じて動作開始時点を遅くまたは早くするよう決定することができ、例えば信号の品質の良し悪しが所定範囲内に入るときなどは、予め品質に応じて受信回路の動作開始時点を所定時点としておくことによって、動作開始時点を効果的に決定することができる。
また、前記評価部は、前記受信装置が受信した信号の誤り率を測定する誤り率測定部を含み、前記誤り率に基づいて前記評価を行うこととしてもよく、前記評価部は、前記受信装置が受信した信号のうち、受信信号と雑音の比を測定するＣ／Ｎ測定部を含み、前記測定結果に基づいて前記評価を行うこととしてもよく、前記評価部は、前記受信装置が受信した信号の受信入力レベルを推定する受信入力レベル推定部を含み、前記受信入力レベルに基づいて前記評価を行うこととしてもよく、前記評価部は、前記受信装置が受信した信号に含まれるパイロットキャリアを用いて信号の伝送路特性を推定する伝送路特性推定部を含み、推定した前記伝送路特性に基づいて前記評価を行うこととしてもよく、前記評価部は、前記受信装置が受信した信号に含まれる各サブキャリアの電力が所定の値より大きいか否かを検出する妨害信号検出部を含み、前記妨害信号検出部による前記検出があるか否かに応じて前記評価を行うこととしてもよい。
【００１１】
これにより、受信装置以外の装置に頼ることなく、受信装置単独で測定することのできる指標によって、受信した信号の品質を評価するとともに受信回路の動作開始時点を決定することができる。
また、前記受信装置は、さらに、前記受信回路が動作を開始してから信号の受信が安定するまでに要する時間である引込時間を計測する引込時間計測部と、過去１回以上の前記引込時間計測部による計測結果である引込時間を保持する保持部とを備え、前記評価部は、保持部に保持されている過去１回以上の前記計測結果に基づいて信号の品質を評価することとしてもよい。
【００１２】
これにより、例えば遠い過去に計測した引込時間ほど比重を小さく、近い過去に計測した引込時間ほど比重を大きくしたり、過去の引込時間の平均値に基づいたりして動作開始時点を決定することで、受信する信号の品質の傾向に応じて動作開始時点を決定することができる。
また、前記受信装置は、さらに、前記受信装置の電池残量を測定する残量測定部を備え、前記制御部は、前記残量測定部の測定結果が所定値より大きいときは前記制御を行い、所定値より小さいときは、所定時点から前記受信回路を動作させることとしてもよい。
【００１３】
これにより、例えば、電池残量が残り少ないときは受信回路への動作開始時点を遅らせて受信回路の電源オン期間を短くすることで信号を受信できる期間を長くして省電力化を図ることができる。
また、割り当てられた信号を受信する前に受信回路の動作を開始し、信号の受信を終えると次に割り当てられた信号の受信開始まで受信回路の動作を停止する受信装置の信号受信方法であって、受信した信号の品質を評価する評価ステップと、前記評価ステップによる評価結果に基づいて、後続する信号を受信する際における前記受信回路の動作開始時点を決定する決定ステップと、前記決定された動作開始時点から前記受信回路を動作させる制御ステップとを含むこととしてもよく、割り当てられた信号を受信する前に受信回路の動作を開始し、信号の受信を終えると次に割り当てられた信号の受信開始まで受信回路の動作を停止する処理を行う集積回路であって、受信した信号の品質を評価する評価回路と、前記評価回路による評価結果に基づいて、後続する信号を受信する際における前記受信回路の動作開始時点を決定する決定回路と、前記決定された動作開始時点から前記受信回路を動作させる制御回路とを含むこととしてもよい。
【００１４】
これにより、受信した信号の品質に応じて受信回路の動作開始時点を決定することができ、従来と比較してさらに省電力化を達成することができる。
【発明を実施するための最良の形態】
【００１５】
以下、本発明の実施の形態について図面を用いて説明する。
＜実施の形態１＞
＜構成＞
図１は、本実施の形態１における受信装置の機能ブロック図である。
同図に示す受信装置１０００は、例えばＤＶＢ−Ｈ（Digital Video Broadcasting-Handheld）方式で時分割多重信号を受信する。なお、ＤＶＢ−Ｈ方式とは、欧州の地上デジタルテレビ伝送方式（DigitalVideo Broadcasting-Terrestrial）のデータ放送を使って携帯受信機向けの放送を実現する伝送方式である。
【００１６】
受信装置１０００は、同図に示すように、アンテナ１０１と、チューナ１０２と、復調部１０３と、ＴＳ（Transport Stream）デコーダ１０４と、誤り訂正回路１０５と、時刻情報抽出部１０６と、復号部１０７と、表示部１０８と、信号品質評価部１０９と、制御部１１０を備え、復調部１０３は、複数の回路から構成される。
アンテナ１０１は、時分割多重で伝送されるＤＶＢ−Ｈ放送信号を受信し、チューナ１０２に入力する。
【００１７】
チューナ１０２は、受信希望チャネルの選択や信号レベルのゲイン調整を行う。
復調部１０３は、ＡＤ変換部１２１と、ＡＧＣ（Automatic Gain Control）１２２と、ＡＦＣ（Automatic FrequencyControl）１２３と、ＦＦＴ（Fast Fourier Transform）１２４と、伝送路等化部１２５と、誤り訂正部１２６からなり、信号の復調処理を行い、トランスポートストリームを出力する。
【００１８】
ＡＤ変換部１２１は、チューナ１０２で受信した時分割多重信号をデジタル信号に変換し、変換したデジタル信号をＡＧＣ１２２およびＡＦＣ１２３にそれぞれ入力する。
ＡＧＣ１２２は、チューナ１０２の出力を一定レベルにするように、ＡＧＣ制御信号を生成してチューナ１０２に出力する。
ＡＦＣ１２３は、受信信号のキャリア周波数およびクロック周波数誤差の補正を行い、キャリアおよびクロックの周波数および位相同期を確立する。
【００１９】
ＦＦＴ１２４は、受信信号に対してＦＦＴ処理を行い、受信信号を周波数軸に変換する。
伝送路等化部１２５は、周波数軸に変換された受信信号に対して伝送路等化処理を行って伝送路歪を除去し、検波処理を行って検波出力を誤り訂正部１２６に出力する。また、このとき、Ｃ／Ｎ（Carrierto Noise ratio）を測定し、測定結果に応じた出力値を信号品質評価部１０９へ出力する。
【００２０】
誤り訂正部１２６は、ビタビ復号部１４１とＲＳ（Reed-Solomon）復号部１４２とを含み、伝送路等化部１２５によって伝送路歪の除去された検波信号に対してビタビ復号部１４１でビタビ復号を、ＲＳ復号部１４２でＲＳ復号を行って、ＴＳデコーダ１０４へトランスポートストリームを出力する。
また、ビタビ復号で訂正したビット誤り数からビタビ復号前のＢＥＲ（Bit Error Rate）を、ＲＳ復号で訂正したビット誤り数からビタビ復号後のＢＥＲを、ＲＳ復号で訂正できなかったパケット数からからＲＳ復号後のパケット誤り率を測定し、測定結果に応じた出力値を信号品質評価部１０９へ出力する。
【００２１】
ＴＳデコーダ１０４は、復調部から出力されたトランスポートストリームを受け付けて、ユーザが視聴を希望するプログラムを含んだトランスポートストリームパケット（以下、「ＴＳパケット」という。）を抽出し、抽出したＴＳパケットを誤り訂正回路１０５および時刻情報抽出部１０６へ出力する。
誤り訂正回路１０５は、ＤＶＢ−Ｈ向けに追加された誤り訂正回路ＭＰＥ−ＦＥＣ（MultiProtocol Encapsulation-ForwardError Collection）であり、ＲＳ復号等の誤り訂正処理を行う。また、ＲＳ復号時に、ＢＥＲを測定する。
【００２２】
時刻情報抽出部１０６は、ＴＳデコーダ１０４が出力したＴＳパケットを受け付けて、ＴＳパケットで伝送されるセクションのセクションヘッダにＤＶＢ−Ｈで新規に定義された時刻情報を抽出する。ここでいう時刻情報とは、時分割多重で放送されているプログラムのうち、所望のプログラムの伝送が終了してから次に所望部分の伝送が再開されるまでの信号受信間隔のことである。
【００２３】
復号部１０７は、ＭＰＥＧ（Moving Picture Experts Group）−４形式やＨ．２６４形式などの映像データおよび音声データを復号する復号回路であり、復号された映像データおよび音声データを表示部１０８へ出力する。
表示部１０８は、液晶パネルやスピーカなどで構成される表示装置であり、映像データおよび音声データを出力する。
【００２４】
信号品質評価部１０９は、復調部１０３から出力されるＢＥＲなどに基づいて、受信した信号の品質を評価し、評価結果に応じた出力値を制御部１１０へ出力する。
制御部１１０は、時刻情報抽出部１０６が抽出する時刻情報および信号品質評価部１０９による評価結果に応じた出力値に基づいて、チューナ１０２、復調部１０３、ＴＳデコーダ１０４へ電源を供給するタイミングを調整する。制御部１１０は、ＣＰＵ（CentralProcessing Unit）、ＲＯＭ（Read Only Memory）、ＲＡＭ（Random Access Memory）等で構成してもよく、上記電源制御の他、受信処理や復調処理の制御を行ってもよい。
【００２５】
＜動作＞
次に、受信装置１０００の動作について説明する。
受信装置１０００の制御部１１０は、時刻情報抽出部１０６が抽出する時刻情報に基づいて、ユーザが所望するプログラムを受信するためにチューナ１０２、復調部１０３、ＴＳデコーダ１０４に電源を供給するタイミングを制御する。図２は、信号受信間隔およびチューナ１０２、復調部１０３、ＴＳデコーダ１０４への電源オンオフタイミングを示した図であり、図２（ａ）は、信号受信間隔を示している。ここで、信号受信間隔をΔＴとする。
【００２６】
また、雑音やマルチパスフェージングや妨害信号などの影響があると、受信する信号の品質が劣悪になり、復調部１０３においてクロックおよびキャリアの時間および周波数同期の確立までの時間が、受信する信号の品質に影響されて信号の品質が劣悪であるほど同期確立まで時間が長くなる。
そのため、制御部１１０は、時分割多重信号のうち所望の部分を安定して受信することができるよう、信号の受信タイミングよりも早いタイミングでチューナ１０２、復調部１０３、ＴＳデコーダ１０４へ電源をオンにすることで信号受信時にはチューナ１０２、復調部１０３、ＴＳデコーダ１０４の動作を安定させることとしている。具体的には、信号受信時よりも所定時間早めてチューナ１０２、復調部１０３、ＴＳデコーダ１０４への電源をオンすることとしており、このときの所定時間を引込時間ΔＴｃａｐとする。
【００２７】
図２（ｂ）は、制御部１１０がチューナ１０２、復調部１０３、ＴＳデコーダ１０４への電源をオンにするタイミングを示した図である。制御部１１０は、所望部分のプログラムの伝送が終了すると同時に、チューナ１０２、復調部１０３、ＴＳデコーダ１０４の電源をオフにする。電源をオフにしてから、所望部分のプログラムの伝送が再開されるよりも引込時間ΔＴｃａｐだけ早く電源をオンにする。
【００２８】
すなわち、同図に示すように、プログラムの伝送が終了してから（ΔＴ−ΔＴｃａｐ）時間経過後にチューナ１０２、復調部１０３、ＴＳデコーダ１０４の電源をオンにする。以下、制御部１１０がチューナ１０２、復調部１０３、ＴＳデコーダ１０４の電源をオンにする時点を「動作開始時点」という。
このようにして、受信装置１０００は、時分割多重信号を受信し、動作開始時点をもとにチューナ１０２、復調部１０３、ＴＳデコーダ１０４の電源をオンにして所望部分のプログラムを安定して受信することとしている。
【００２９】
続いて、制御部１１０が逐次動作開始時点を決定してチューナ１０２、復調部１０３、ＴＳデコーダ１０４へ電源を供給する処理について説明する。
図３は、受信装置１０００の制御部１１０による電源制御処理を示したフローチャートである。
制御部１１０は、直前の信号受信時に決定された動作開始時点に従ってチューナ１０２、復調部１０３、ＴＳデコーダ１０４へ電源を供給し（Ｓ３１）、時分割多重信号を受信する（Ｓ３２）。
【００３０】
復調部１０３、ＴＳデコーダ１０４が処理を終えると、制御部１１０は、次の動作開始時点までの間、チューナ１０２、復調部１０３、ＴＳデコーダ１０４へ供給している電源をオフにするとともに、復調部１０３の誤り訂正部１２６で測定されたＢＥＲ等をもとに、受信した信号の品質を信号品質評価部１０９に評価させる（Ｓ３３）。
信号品質評価部１０９によって、受信した信号の品質が評価されると、制御部１１０は、評価結果に基づいて次の信号受信時の動作開始時点を決定する（Ｓ３４）。動作開始時点を決定した後、次の信号を受信すると、受信開始時点に従って、再びチューナ１０２、復調部１０３、ＴＳデコーダ１０４へ電源を供給し（Ｓ３１）、受信した信号をもとに信号の品質を評価して動作開始時点を決定する処理を繰り返す（Ｓ３２、Ｓ３３、Ｓ３４）。
【００３１】
＜信号品質評価＞
ここで、ステップ３３において信号品質評価部１０９が信号の品質を評価する処理について説明する。
図４は、信号品質評価部１０９が信号の品質を評価する処理を示すフローチャートである。
【００３２】
信号品質評価部１０９は、復調部１０３のビタビ復号部１４１等から出力されるＢＥＲやパケット誤り率などの、信号の品質を示す指標となる値の測定結果を受信すると（Ｓ４１）、受信した測定結果を所定値と比較して、信号の品質が「良好」であるか「劣悪」であるかを判断する（Ｓ４２）。「良好」であれば、例えば品質を示す１ビットのフラグをオンにし、「劣悪」であればフラグをオフにするなどとして、制御部１１０へ評価結果を示す信号を出力する。
【００３３】
ここで、ステップ４２における信号の品質を判断する処理について、信号の品質を示す指標となる値としてビタビ復号部１４１の測定したＢＥＲを用い、ＢＥＲと所定値とを比較することで信号の品質を判断する場合を例にして補足説明すると、所定値を例えば１０＾（−５）として、ＢＥＲが所定値より小さければ信号の品質は「良好」、ＢＥＲが所定値より大きければ信号の品質は「劣悪」とすることで信号の品質を評価する。
【００３４】
信号の品質を示す指標となる値は、上述したビタビ復号部１４１の測定したＢＥＲの他に、ＲＳ復号部１４２の測定したＢＥＲ、ＲＳ復号部１４２の測定したパケット誤り率、誤り訂正回路１０５の測定したＢＥＲがある。それぞれについて所定値を設定することによって、信号の品質が「良好」であるか「劣悪」であるか評価することができる。
また、ＢＥＲの他に、アンテナ１０１での受信入力レベルに応じて信号の品質を評価することもできる。ＡＧＣ１２２は、チューナ１０２の出力レベルを一定にするようＡＧＣ制御信号を生成し、ＡＧＣ制御信号に基づいてチューナ２に含まれるＡＧＣアンプの利得を制御しており、信号品質評価部１０９は、ＡＧＣ制御信号に基づいて受信入力レベルの推定を行うことができる。
【００３５】
推定した受信入力レベルに基づいて信号の品質を評価するには、例えば受信入力レベルの適正範囲を−８０ｄＢｍ〜−２０ｄＢｍなどとし、推定した受信入力レベルが適正範囲に含まれていれば、受信した信号の品質を「良好」、適正範囲に含まれなければ「劣悪」とすることで品質の評価をすることができる。
また、ＦＦＴ１２４によってＦＦＴ処理を行った後の周波数領域の信号は、各サブキャリアを表しており、このときに他のサブキャリアに比べて例えば３０ｄＢ程度大きなレベルのサブキャリアが検出されれば、アナログ放送等の妨害を受けている可能性があり、このとき、信号の品質を「劣悪」と評価し、妨害がないと推定される場合は信号の品質を「良好」とすることで品質の評価をすることもできる。
【００３６】
また、伝送路等化部１２５が測定し出力するＣ／Ｎに基づいて信号品質を評価することもでき、例えばＣ／Ｎが１０ｄＢ以上であれば信号品質が良好、Ｃ／Ｎが３７ｄＢ未満であれば信号品質が「劣悪」として信号品質を評価することもできる。
また、伝送路等化部１２５で行う検波処理では、周波数および時間方向に一定規則に基づいて配置されているパイロットキャリアを用いて受信信号の伝送路特性を推定し、推定した伝送路特性で受信信号を除算することで受信信号の等化を行う。ここで推定した伝送路特性により、マルチパスフェージング等を検出することができるから、例えばマルチパスフェージングを検出したときに、信号品質を「劣悪」と評価することもできる。
【００３７】
＜動作開始時点決定処理＞
図３のステップ３４において、信号品質評価部１０９による信号の品質の評価結果に基づいて制御部１１０が次の信号受信時の動作開始時点を決定する処理について説明する。
図５は、制御部１１０が信号の品質の評価結果に基づいて次の信号受信時の動作開始時点を決定する処理を示すフローチャートである。
【００３８】
制御部１１０は、信号品質評価部１０９から信号の品質の評価結果を示す信号を受信し（Ｓ５１）、受信した信号の品質に基づいて引込時間ΔＴｃａｐを決定する（Ｓ５２）。
例えば、信号品質が「良好」時は引込時間ΔＴｃａｐ１を２５０ｍｓ、信号品質が「劣悪」時は引込時間ΔＴｃａｐ２を５００ｍｓなどとし、信号品質が「良好」時は信号品質が「劣悪」時に比べて電源供給期間が短くなるようにする。図を用いて説明すると、図２（ｂ）及び同図（ｃ）は、信号品質劣悪時及び信号品質良好時におけるチューナ１０２、復調部１０３、ＴＳデコーダ１０４への電源供給時間を示す図であり、同図（ｃ）に示すように、信号品質が「良好」時は、同図（ｂ）に示す「劣悪」時に比べて電源を供給している時間が短くなるように電源供給期間を制御する。
【００３９】
なお、１回目の信号受信時には、例えば、予め引込時間ΔＴｃａｐを５００ｍｓなどとしておく。
このようにして、制御部１１０は、受信した信号の品質に応じてチューナ１０２、復調部１０３、ＴＳデコーダ１０４へ電源を供給するタイミングを制御する。
＜実施の形態２＞
次に、実施の形態２にかかる受信装置について説明する。
【００４０】
実施の形態２においては、動作開始時点を決定する際に、過去の引込時間に基づいて引込時間ΔＴｃａｐを決定することを特徴とする。以下、実施の形態１との相違点に主眼を置きつつ説明する。
＜構成＞
図６は、本発明の実施の形態２における受信装置の機能ブロック図である。
【００４１】
受信装置１１００は、実施の形態１と異なり、信号品質評価部１０９を備えていないが、引込時間計測部１１１を備える。アンテナ１０１等は実施の形態１と同一であるため説明を省略する。
引込時間計測部１１１は、時刻を計時する計時機能を備えており、ＣＰＵ、ＲＯＭ、ＲＡＭ等で構成してもよい。そして、引込時間ΔＴｃａｐを計測し、過去に計測した引込時間ΔＴｃａｐを、一つ以上メモリに記憶する。
【００４２】
引込時間ΔＴｃａｐの計測は、引込開始時刻と引込完了時刻との差分を求めることによって行う。ここで、引込開始時刻とは、制御部１１０で制御されるチューナ１０２等への電源オンのタイミングと規定し、引込完了時刻は、チューナ１０２の選局後のＢＥＲまたはＣ／Ｎが閾値以下となる時刻と規定する。
制御部１１０は、引込時間計測部１１１によって計測され記憶されている過去１回以上の引込時間ΔＴｃａｐに基づいて、引込時間ΔＴｃａｐを決定し、チューナ１０２等への電源供給のタイミングを制御する。
【００４３】
＜動作＞
受信装置１１００の制御部１１０は、時分割多重信号を受信する間、逐次動作開始時点を決定してチューナ１０２、復調部１０３、ＴＳデコーダ１０４へ電源を供給する処理を制御する。
図７は、受信装置１１００の制御部１１０が行う電源制御処理を示したフローチャートである。
【００４４】
制御部１１０は、直前の信号受信時に決定された動作開始時点に従ってチューナ１０２、復調部１０３、ＴＳデコーダ１０４へ電源を供給し（Ｓ７１）、時分割多重信号を受信するとともに（Ｓ７２）、引込時間計測部１１１に引込時間を計測させる（Ｓ７３）。
復調部１０３、ＴＳデコーダ１０４が処理を終えると、制御部１１０は、次の動作開始時点までの間、チューナ１０２、復調部１０３、ＴＳデコーダ１０４へ供給している電源をオフにするとともに、引込時間計測部１１１によって計測された過去複数回の引込時間ΔＴｃａｐの平均値を所定値と比較して、比較結果に基づいて引込時間ΔＴｃａｐを決定する。
【００４５】
例えば、所定値として３００ｍｓなどとし、過去４回の引込時間ΔＴｃａｐの平均値が３００ｍｓより大きい場合は引込時間ΔＴｃａｐを５００ｍｓとし、平均値が３００ｍｓより小さい場合は引込時間ΔＴｃａｐを２５０ｍｓなどとする。
このようにして引込時間ΔＴｃａｐを決定すると、時刻情報ΔＴと引込時間ΔＴｃａｐとから次の信号受信時の動作開始時点を決定する（Ｓ７４）。
【００４６】
以後、制御部１１０は、信号を受信するごとに、動作開始時点に従ってチューナ１０２等へ電源を供給し（Ｓ７１）、過去の引込時間ΔＴｃａｐに基づいて次の信号受信時の引込時間ΔＴｃａｐを決定し、動作開始時点を決定する処理を繰り返す（Ｓ７２、Ｓ７３、Ｓ７４）。
＜実施の形態３＞
次に、実施の形態３にかかる受信装置について説明する。
【００４７】
実施の形態３においては、動作開始時点を決定する際に、受信した信号の品質とともに、受信装置の電池残量に基づいて引込時間ΔＴｃａｐを決定することを特徴とする。以下、実施の形態１との相違点に主眼を置きつつ説明する。
＜構成＞
図８は、本発明の実施の形態３における受信装置の機能ブロック図である。
【００４８】
受信装置１２００は、実施の形態１における受信装置１０００の構成に加え、電池残量モニタ部１１２を備える。
電池残量モニタ部１１２は、受信装置１２００の電池残量を測定する。測定した電池残量は、例えば残量をパーセントで表した値として制御部１１０へ出力する。
制御部１１０は、受信した信号の品質に基づいてチューナ１０２等へ電源を供給するタイミングを制御するとともに、電池残量モニタ部１１２から出力される電池残量を表す信号を受信して、受信装置１２００の電池残量に基づいて動作開始時点を決定する。
【００４９】
＜動作＞
受信装置１２００の制御部１１０は、時分割多重信号を受信する間、逐次動作開始時点を決定してチューナ１０２、復調部１０３、ＴＳデコーダ１０４へ電源を供給する処理を制御する。
図９は、受信装置１２００の制御部１１０による電源制御処理を示したフローチャートである。
【００５０】
制御部１１０は、直前の信号受信時に決定された動作開始時点に従ってチューナ１０２、復調部１０３、ＴＳデコーダ１０４へ電源を供給し（Ｓ９１）、時分割多重信号を受信する（Ｓ９２）。
復調部１０３、ＴＳデコーダ１０４が処理を終えると、制御部１１０は、次の動作開始時点までの間、チューナ１０２、復調部１０３、ＴＳデコーダ１０４へ供給している電源をオフにするとともに、受信した信号の品質を信号品質評価部１０９に評価させる（Ｓ９３）。
【００５１】
信号品質評価部１０９によって、受信装置１２００が受信した信号の品質が評価されると、制御部１１０は、電池残量モニタ部１１２から出力される電池残量を表す信号に基づいて、電池残量と所定値とを比較して電池残量が十分か否かを判断する（Ｓ９４）。電池残量が所定値より大きい場合は（Ｓ９４：Ｙ）、電池残量は十分と判断し、信号品質評価部１０９の評価結果に基づいて、次の信号受信時の動作開始時点を決定する（Ｓ９５）。電池残量が所定値より小さい場合は（Ｓ９４：Ｎ）、電池残量は不十分と判断し、信号品質評価部１０９の評価結果に係らず、引込時間ΔＴｃａｐを、信号品質評価部１０９が信号の品質を「良好」と評価したときと同様の時間とする（Ｓ９６）。
【００５２】
ここで、ステップ９４においては、例えば受信装置１２００の電池残量が２０％以上のときは電池残量は十分と判断し、電池残量が２０％未満のときは電池残量は不十分であるなどとすることで電池残量が十分か否かを判断する。
このようにして、受信装置１２００は、電池残量に応じて電源供給時間を制御することができ、電池残量が不十分なときは、信号の品質に係らずチューナ１０２等へ電源を供給する時間を短くすることが可能となり、受信する信号の品質が劣悪な状態が続く場合は視聴が途切れやすくなる可能性があるものの、視聴に要する消費電力を削減することができ、映像データ等の視聴時間を従来より長くすることができる。
＜補足＞
以上のように発明の実施の形態について説明してきたが、本発明にかかる受信装置は上述の実施形態に限られないことは勿論である。
（１）上述の実施の形態においては、信号品質評価部１０９は、信号の品質が「良好」であるか「劣悪」であるかの２通りの値を出力することとし、制御部１１０は、信号の品質に応じて２通りの引込時間ΔＴｃａｐを設定する例を用いて説明したが、これに限らず、信号品質評価部１０９は、信号の品質を示す指標となる値に応じて連続的に信号品質を表す値を出力することとしてもよく、また、制御部１１０は、信号品質評価部１０９から出力される値に応じて、何通りもの引込時間ΔＴｃａｐを設定することとしてもよい。
【００５３】
また、信号品質評価部１０９は、信号の品質を示す指標となる値と所定値とを比較して信号の品質を評価しているが、比較する所定値はひとつに限らず、閾値を設けて何段階かに分けて信号の品質を評価することとしてもよい。
（２）上述の実施の形態においては、制御部１１０は、チューナ１０２、復調部１０３、ＴＳデコーダ１０４に供給する電源の制御を行うこととしているが、チューナ１０２は、チャネル選局のための局部発振器を有しており、電源オンから発振出力の周波数が安定するまでに時間を要するので、制御部１１０の電源制御信号をチューナ１０２と復調部１０３およびＴＳデコーダ１０４とで別系統とし、復調部１０３やＴＳデコーダ１０４よりも早くチューナ１０２の電源をオンにするよう電源供給を制御することとしてもよい。
【００５４】
また、復調部１０３の処理遅延時間を考慮して、復調部１０３とＴＳデコーダ１０４の電源供給タイミングを異なるタイミングとしてもよい。
また、制御部１１０は、チューナ１０２、復調部１０３、ＴＳデコーダ１０４へ電源供給を制御することとしているが、電源供給のオンオフを実現する方法は、電源ラインに設けた電子制御スイッチの開閉制御や、使用するＩＣやＬＳＩのレジスタ設定による通常動作モードとパワーダウンモードの切り替えや、ロジック回路のクロックを停止するなどの方法によるものであってもよく、また、一部回路のオンオフ制御により実現してもよい。
（３）上述の実施の形態においては、時刻情報抽出部１０６が抽出する時刻情報は、ＴＳデコーダ１０４の出力から抽出することとしているが、これに限らず、誤り訂正回路１０５の出力から抽出することとしてもよい。
【００５５】
また、ＴＳパケットから時刻情報を抽出することとしているが、時刻情報を示す情報がＴＳパケットに含まれておらずＴＳパケットから時刻情報を抽出できない場合であっても、時分割多重信号の各プログラム間の受信間隔が予め設定されている場合においては同様に実施可能である。
（４）上述の実施の形態においては、ＤＶＢ−Ｈ方式を例にして、マルチキャリア伝送方式で時分割多重信号を受信する受信装置について説明したが、マルチキャリア伝送方式に限らず、シングルキャリア伝送方式でも時分割多重伝送であれば同様に実施できる。
（５）上述の実施の形態２においては、引込時間計測部１１１が引込時間を計測する際に、引込開始時刻としてチューナ１０２等への電源オンのタイミングと規定し、引込完了時刻としてチューナ１０２の選局後のＢＥＲまたはＣ／Ｎが閾値以下となる時刻と規定しているが、これに限らず、引込開始時刻としてチューナ１０２の選局開始のタイミングと規定してもよく、また、引込完了時刻としてループフィルタの収束時点、フレーム同期確立時などとしてもよい。
（６）上述の実施の形態２においては、引込時間計測部１１１によって計測した過去の引込時間の平均値と所定値とを比較して引込時間ΔＴｃａｐを決定していたが、これに限らず、過去１回の引込時間ΔＴｃａｐと計測した引込時間ΔＴｃａｐに基づいて引込時間ΔＴｃａｐを決定することとしてもよく、計測した過去の引込時間の平均値に若干のマージンを加算した値としてもよく、また、引込時間の平均値の求め方は、単純平均であっても、遠い過去ほど比重を小さくする重み付け平均であってもよい。
（７）上述の実施の形態３においては、信号品質評価部１０９と電池残量モニタ部１１２とを含む構成としているが、これに限らず、信号品質評価部１０９を引込時間計測部１１１と置き換えた構成としてもよい。
【００５６】
また、電池残量が不十分なときは、受信した信号の品質にかかわらず引込時間ΔＴｃａｐを設定することとしているが、必ずしもこの形態に限定されるものではなく、電池残量に応じて引込時間ΔＴｃａｐを設定するかどうかはユーザの設定によって変更できることとしてもよい。
（８）上述の実施形態では、復調部１０３、ＴＳデコーダ１０４、誤り訂正回路１０５、時刻情報抽出部１０６、信号品質評価部１０９、制御部１１０、電池残量モニタ部１１２等は、１チップでＬＳＩ化することとしてもよい。
【産業上の利用可能性】
【００５７】
本発明は、時分割多重方式で信号を伝送するデジタル放送やデジタル通信の携帯受信機に適用できる。
【図面の簡単な説明】
【００５８】
【図１】実施の形態１における受信装置の機能ブロック図である。
【図２】信号受信間隔およびチューナ１０２、復調部１０３、ＴＳデコーダ１０４への電源オンオフタイミングを示した図である。
【図３】受信装置１０００の制御部１１０による電源制御処理を示したフローチャートである。
【図４】信号品質評価部１０９が信号の品質を評価する処理を示すフローチャートである。
【図５】制御部１１０が信号の品質の評価結果に基づいて次の信号受信時の動作開始時点を決定する処理を示すフローチャートである。
【図６】実施の形態２における受信装置の機能ブロック図である。
【図７】受信装置１１００の制御部１１０が行う電源制御処理を示したフローチャートである。
【図８】実施の形態３における受信装置の機能ブロック図である。
【図９】受信装置１２００の制御部１１０による電源制御処理を示したフローチャートである。
【符号の説明】
【００５９】
１０１  アンテナ
１０２  チューナ
１０３  復調部
１０４  ＴＳデコーダ
１０５  誤り訂正回路
１０６  時刻情報抽出部
１０７  復号部
１０８  表示部
１０９  信号品質評価部
１１０  制御部
１１１  引込時間計測部
１１２  電池残量モニタ部
１２１  ＡＤ変換部
１２２  ＡＧＣ
１２３  ＡＦＣ
１２４  ＦＦＴ
１２５  伝送路等化部
１２６  誤り訂正部
１４１  ビタビ復号部
１４２  ＲＳ復号部
【図１】
0004220549.tif 000002
【図２】
0004220549.tif 000003
【図３】
0004220549.tif 000004
【図４】
0004220549.tif 000005
【図５】
0004220549.tif 000006
【図６】
0004220549.tif 000007
【図７】
0004220549.tif 000008
【図８】
0004220549.tif 000009
【図９】
0004220549.tif 000010